(57)【要約】      （修正有）【課題】平行連接棒セットの提供。【解決手段】キートップ1、座体2、及びキートップと座体を連接する平行連接棒セット3で構成され、該平行連接棒セットに設けられたベース31が座体に接続され、ベースの上方に平行な二つのサポートフレーム32が設けられ、且つサポートフレームの二側がそれぞれベースの二側とキートップに接続され、並びにキートップが座体に設けられた弾性手段21上端に支持され、且つ弾性手段内にスイッチセット24が設けられ、別に、ベースの一側に限位連接棒33が設置され、且つ限位連接棒の一端が座体に接続され、もう一端が二つのサポートフレームのうちの一方に接続され、キートップが押圧される時、該キートップが平行連接棒セット及び弾性手段により下に移動し、並びにキートップの移動により弾性手段が駆動されてスイッチセットに接触し、スイッチセットに電気的接続を形成させ、これにより行程を短縮し、ひっかかりを防止した。【選択図】図１
0003102415.tif 000002
【実用新案登録請求の範囲】
【請求項１】
キートップ、座体、及びキートップと座体を連接する平行連接棒セットで構成され、該座体の上にスイッチセットが設けられ、このスイッチセットが上蓋の移動によりトリガされて電気的接続を形成する平行式キー装置において、
該平行式キー装置がベースとベース上方に設置された平行な二つのサポートフレームを具え、ならびにそのうち一方のサポートフレームの一側に限位連接棒が接続され、且つベース、限位連接棒及び二つのサポートフレームが座体とキートップの間に接続され、キートップが押圧される時、平行連接棒セットの作動によりキートップが座体方向に移動するよう形成されたことを特徴とする、平行式キー装置。
【請求項２】
請求項１記載の平行式キー装置において、二つのサポートフレームの二側に少なくとも二組の軸柱が設けられ、且つそのうち一組の軸柱がキートップの内側に設けられた複数の枢設孔に枢設され、もう一組の軸柱がベースの二側に設けられた枢設孔に枢設されたことを特徴とする、平行式キー装置。
【請求項３】
請求項１記載の平行式キー装置において、限位連接棒の一端に限位軸孔が設けられ、且つ限位軸孔から離れた別端に限位軸が設けられ、該限位軸が座体の一側に設けられた開放式の係止手段に係止され、且つ限位軸孔が二つのサポートフレームの一方に設けられた連接棒に枢設されたことを特徴とする、平行式キー装置。
【請求項４】
請求項３記載の平行式キー装置において、係止手段に係止溝が設けられ、且つ係止溝にスライド面が接続されたことを特徴とする、平行式キー装置。
【請求項５】
請求項１記載の平行式キー装置において、ベースの二側に案内溝が設けられ、且つ案内溝の一端にストッパ面が設けられ、該案内溝が座体の二側に設置されたガイドレールに収容され、ならびにストッパ面で位置決めされることを特徴とする、平行式キー装置。
【請求項６】
請求項１記載の平行式キー装置において、平行連接棒セットが二つのサポートフレームの二側の一端にスプリングを具え、キートップの押圧後の回復能力が増されたことを特徴とする、平行式キー装置。
【請求項７】
請求項１記載の平行式キー装置において、座体に設けられたスイッチセットに弾性手段が設置されたことを特徴とする、平行式キー装置。
【請求項８】
請求項７記載の平行式キー装置において、弾性手段がシリコン或いはゴムで形成されたことを特徴とする、平行式キー装置。
【考案の詳細な説明】
【技術分野】
【０００１】
本考案は一種の平行式キー装置に係り、特に、キートップと座体間が平行連接棒セットで連接されてなり、該平行連接棒セットの一側に限位連接棒が設けられ、並びにこの限位連接棒によりキートップと座体の間の行程が制御され、これにより製品の必要とする高度が変更される時に、限位連接棒を交換するだけで他の部品を変更することなく対応できる平行式キー装置に関する。
【背景技術】
【０００２】
テクノロジーの進歩により、電子製品は人々に便利な生活環境をもたらしたが、ほとんどの入力式電子製品はマウス、キーボード或いはゲーム用のジョイスティック、ライトガン等は、キー操作により文字、数字或いは命令の入力が必要である。しかし製品の進歩により、キーも要求に対応して改変が要求され、例えば早期のデスクトップ型コンピュータのキーボードに使用されたキーからノートブック型コンピュータに使用されるキーに至る差異は相当に大きく、なぜならノートブック型コンピュータは軽量、薄型、コンパクトを強調するため、その使用するキーはデスクトップ型コンピュータのキーとは異なるものが必要とされるためである。ゆえに鋏式の構造及びこの構造を含むキーと取り付け方法が提供された（特許文献１）。図７、８は周知の鋏式構造の分解斜視図及びキーの側面図である。図示されるように、キーには第１サポートフレームＡと第２サポートフレームＢが設置され、且つ第２サポートフレームＢには軸部Ｂ１が設置され、並びに第１サポートフレームＡの溝Ａ１内に軸支され、さらに第１サポートフレームＡに設けられたスライドロッドＡ２が第２サポートフレームＢのスライドロッドＢ２とベースＣに設けられた滑り溝Ｃ１及びキートップＤに設けられた滑り溝Ｄ１に挿入され、並びに第１サポートフレームＡに設けられた固定柱Ａ３と第２サポートフレームＢの固定柱Ｂ３がベースＣの軸孔Ｃ２及びキートップＤの軸孔Ｄ２に挿入され、使用者がキートップＤを押圧する時、該キートップＤが第１サポートフレームＡと第２サポートフレームＢにより下降する。
【０００３】
このような周知の鋏式の構造を具えたキーと取り付け方法には以下のような欠点がある。
１．周知のキーは第１サポートフレームＡと第２サポートフレームＢのベースＣとキートップＤに固定され、キートップの行程を必要に応じて改変することができず、ただ一種類の規格にしか対応できず、他の製品に適用できない。このため他の規格の製品に応用する場合は、別に型を製造しなければならず、製造コストが高くなり、消費者の購入価格がこれにより高くなる。
２．周知のキーは第１サポートフレームＡと第２サポートフレームＢの形成する鋏式構造を利用するが、何度も押圧した後は軸部Ｂ１と溝Ａ１の摩擦によりぐらつきを発生するようになり、このために第１サポートフレームＡと第２サポートフレームＢが移動時に摩擦を発生し押圧後にひっかかる状況を発生しやすくなる。
３．周知のキーはキートップＤに滑り溝Ｄ２を設けてキートップＤを下向きに移動させる時の第１サポートフレームＡの発生する移動を許容する必要があり、このためにキートップＤの体積を縮小できず、現代製品に要求される軽量、薄型、コンパクトの傾向に符合しない。
ゆえに、上述の周知の技術の欠点と不足を解決することが求められている。
【０００４】
【特許文献１】台湾特許公告第５４００７６号明細書
【考案の開示】
【考案が解決しようとする課題】
【０００５】
本考案の主要な目的は、限位連接棒の長さによりキートップと座体間の行程を制御し、異なる規格の製品に使用する時に、ただ限位連接棒を交換すれば他の部品を交換する必要がないもの、これにより本考案の適用性を広げ、限位連接棒の設置により行程を効果的に短縮し、現代製品に要求される軽量、薄型、コンパクトの傾向に符合するものとすることにある。
【０００６】
本考案の次の目的は、サポートフレームをそれぞれ独立してキートップと座体に接続し、サポートフレームがサポートフレーム間の相互摩擦により押圧後のひっかかりを発生することがないようにすることにある。
【０００７】
本考案の別の目的は、キートップと座体間を連接するサポートフレームを直接枢設し、キートップをできるだけ縮小できるようにし、各種製品のキーに有効に運用できるようにすることにある。
【課題を解決するための手段】
【０００８】
請求項１の考案は、キートップ、座体、及びキートップと座体を連接する平行連接棒セットで構成され、該座体の上にスイッチセットが設けられ、このスイッチセットが上蓋の移動によりトリガされて電気的接続を形成する平行式キー装置において、
該平行式キー装置がベースとベース上方に設置された平行な二つのサポートフレームを具え、ならびにそのうち一方のサポートフレームの一側に限位連接棒が接続され、且つベース、限位連接棒及び二つのサポートフレームが座体とキートップの間に接続され、キートップが押圧される時、平行連接棒セットの作動によりキートップが座体方向に移動するよう形成されたことを特徴とする、平行式キー装置としている。
請求項２の考案は、請求項１記載の平行式キー装置において、二つのサポートフレームの二側に少なくとも二組の軸柱が設けられ、且つそのうち一組の軸柱がキートップの内側に設けられた複数の枢設孔に枢設され、もう一組の軸柱がベースの二側に設けられた枢設孔に枢設されたことを特徴とする、平行式キー装置としている。
請求項３の考案は、請求項１記載の平行式キー装置において、限位連接棒の一端に限位軸孔が設けられ、且つ限位軸孔から離れた別端に限位軸が設けられ、該限位軸が座体の一側に設けられた開放式の係止手段に係止され、且つ限位軸孔が二つのサポートフレームの一方に設けられた連接棒に枢設されたことを特徴とする、平行式キー装置としている。
請求項４の考案は、請求項３記載の平行式キー装置において、係止手段に係止溝が設けられ、且つ係止溝にスライド面が接続されたことを特徴とする、平行式キー装置としているとしている。
請求項５の考案は、請求項１記載の平行式キー装置において、ベースの二側に案内溝が設けられ、且つ案内溝の一端にストッパ面が設けられ、該案内溝が座体の二側に設置されたガイドレールに収容され、ならびにストッパ面で位置決めされることを特徴とする、平行式キー装置としている。
請求項６の考案は、請求項１記載の平行式キー装置において、平行連接棒セットが二つのサポートフレームの二側の一端にスプリングを具え、キートップの押圧後の回復能力が増されたことを特徴とする、平行式キー装置としている。
請求項７の考案は、請求項１記載の平行式キー装置において、座体に設けられたスイッチセットに弾性手段が設置されたことを特徴とする、平行式キー装置としている。
請求項８の考案は、請求項７記載の平行式キー装置において、弾性手段がシリコン或いはゴムで形成されたことを特徴とする、平行式キー装置としている。
【考案の効果】
【０００９】
本考案は、限位連接棒の長さによりキートップと座体間の行程を制御し、異なる規格の製品に使用する時に、ただ限位連接棒を交換すれば他の部品を交換する必要がないもの、これにより本考案の適用性を広げ、限位連接棒の設置により行程を効果的に短縮し、現代製品に要求される軽量、薄型、コンパクトの傾向に符合するものとしている。
【００１０】
本考案は、サポートフレームをそれぞれ独立してキートップと座体に接続し、サポートフレームがサポートフレーム間の相互摩擦により押圧後のひっかかりを発生することがないようにしている。
【００１１】
本考案は、キートップと座体間を連接するサポートフレームを直接枢設し、キートップをできるだけ縮小できるようにし、各種製品のキーに有効に運用できるようにしている。
【考案を実施するための最良の形態】
【００１２】
図１は本考案の分解斜視図であり、この図に示されるように、本考案は、キートップ１、座体２及び平行連接棒セット３で組成されている。
【００１３】
該キートップ１内には収容空間１１があり、且つ収容空間１１内に複数の枢設孔１１１が凸設されている。
【００１４】
該座体２の表面にはスイッチセット２４が設けられ、且つ該スイッチセット２４は弾性手段２１を被覆し、スイッチセット２４の二側にはガイドレール２２が設置され、ガイドレール２２の一側に開放式の係止手段２３が設けられ、係止手段２３に係止溝２３１が設けられ、該係止溝２３１がスライド面２３２に接続されている。
【００１５】
該平行連接棒セット３は、ベース３１を具え、該ベース３１に基部３１１が設置され、且つ基部３１１の二側にサポートアーム３１２が設けられ、サポートアーム３１２の一側に案内溝３１２１が設けられ、案内溝３１２１の一端にストッパ面３１２２が設けられ、且つサポートアーム３１２の二端に枢設孔３１３が設けられ、ベース３１の上方に平行な二つのサポートフレーム３２が設けられ、並びにサポートフレーム３２の二側にサポートアーム３２１が設置され、このサポートアーム３２１の二端に軸柱３２１１が設置され、且つそのうち一方のサポートフレーム３２のサポートアーム３２１間に連接棒３２２が設置され、別に、ベース３１の一側に限位連接棒３３が設置され、且つ限位連接棒３３の一端に限位軸孔３３１が設けられ、且つ限位軸孔３３１より離れた別端に限位軸３３２が設けられている。
【００１６】
図１、２、３は本考案の分解斜視図、組立時の分解斜視図、及び組立後の斜視図である。これらの図に示されるように、本考案を組み立てる時は、まずベース３１の二側に設けられた案内溝３１２１をガイドレール２２に押し込み、並びに案内溝３１２１の一端のストッパ面３１２２をガイドレール２２に突き当てて位置決めする。続いてサポートフレーム３２の二側に設けられた軸柱３２１１をベース３１の二側に設けられた枢設孔３１３とキートップ１内の枢設孔１１１に挿入し、ならびにキートップ１を座体２に設けられた弾性手段２１の上端に支持させ、さらに限位連接棒３３に設けられた限位軸３３２を座体２の係止溝２３１内に係止し、限位連接棒３３に設けられた限位軸孔３３１にサポートフレーム３２に設けられた連接棒３２２を枢設し、こうして本考案の組立を完成する。
【００１７】
図４、５は本考案の側面断面図及び押圧時の側面断面図である。キートップ１が押圧される時、該平行連接棒セット３に設けられたサポートフレーム３２が下向きに移動し、キートップ１が下降してスイッチセット２４に設けられた弾性手段２１を弾性変形させならびにスイッチセット２４に接触させて、弾性手段２１に回復能力を具備させ、且つ係止溝２３１に係止された限位軸３３２を係止溝２３１に接続されたスライド面２３２により移動させて、押圧により発生した移動量を許容する。使用者がキートップ１を開放すると、キートップ１は弾性手段２１の回復能力によりもとの位置に回復する。
【００１８】
さらに、本考案は限位連接棒３３に設けられた限位軸孔３３１及び限位軸３３２によりキートップ１と座体２の間の行程を制御し、ゆえに製品に必要な高度が変更される時に、限位連接棒３３の長さを交換するだけで対応でき、その他の部品を変更する必要がなく、且つサポートフレーム３２の二側の一端に収容溝が凹設され、この収容溝内に別にスプリング３２３が収容され、これによりキートップ１が押圧後に更に大きな回復能力を具備して、押圧後の回復が順調とされる（図６）。
【００１９】
このほか、図１、２に示されるように、本考案は製造時に、二次成形方式で直接平行連接棒セット３の各部品を結合して一体とすることができる。まず、型の二つの材料注入口部分より射出成形し、二つのサポートフレーム３２を形成し、さらに型を裏返して別の二つの材料注入口より射出成形することで、ベース３１及び限位連接棒３３を形成できる。この時、二つのサポートフレーム３２のサポートアーム３２１の各軸柱３２１１はベース３１の枢設孔３１３及び限位連接棒３３の限位軸孔３３１中に位置し、これにより組立時間を節約できる。
【００２０】
ゆえに、本考案の平行式キー装置は従来の技術に較べて以下の点で改善されている。
１．本考案は限位連接棒３３に設けられた限位軸孔３３１と限位軸３３２によりキートップ１と座体２の間の行程をを制御し、ゆえに製品に必要な高度が変更される時に、限位連接棒３３の長さを交換するだけで対応でき、その他の部品を変更する必要がなく、且つ限位連接棒３３の設置により行程を有効に短縮でき、現代製品に必要な軽量、薄型、コンパクトの傾向に符合する。
２．本考案の二つのサポートフレーム３２はそれぞれキートップ１とベース３１に接続され、ゆえに重複してキートップ１を押圧する時、二つのサポートフレーム３２が相互に摩擦してひっかかる状況を発生しない。
３．本考案のキートップ１と座体２の間に接続されたサポートフレーム３２は直接枢設され、キートップ１を可能な限り縮小でき、有効に各種製品のキーに運用できる。
４．本考案を製造する時、二次成形方式により直接平行連接棒セット３の各部品を結合して一体とすることができ、これにより組立コストを減らすことができる。
【００２１】
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【００２２】
【図１】本考案の分解斜視図である。
【図２】本考案の組立時の分解斜視図である。
【図３】本考案の組立後の斜視図である。
【図４】本考案の側面断面図である。
【図５】本考案の押圧時の側面断面図である。
【図６】本考案のもう一つの実施例の側面断面図である。
【図７】周知の鋏式構造の分解斜視図である。
【図８】周知のキーの側面図である。
【符号の説明】
【００２３】
１  キートップ
１１  収容空間                １１１  枢設孔
２  座体
２１  弾性手段                ２３１  係止溝
２２  ガイドレール            ２３２  スライド面
２３  係止手段                ２４  スイッチセット
３  平行連接棒セット
３１  ベース                  ３２１  サポートアーム
３１１  基部                  ３２１１  軸柱
３１２  サポートアーム        ３２２  連接棒
３１２１  案内溝              ３２３  スプリング
３１２２  ストッパ面          ３３  限位連接棒
３１３  枢設孔                ３３１  限位軸孔
３２  サポートフレーム        ３３２  限位軸
Ａ  第１サポートフレーム
Ａ１  溝                      Ａ３  固定柱
Ａ２  スライドロッド
Ｂ  第２サポートフレーム
Ｂ１  軸部                    Ｂ３  固定柱
Ｂ２  スライドロッド
Ｃ  ベース
Ｃ１  滑り溝                  Ｃ２  軸孔
Ｄ  キートップ
Ｄ１  滑り溝                  Ｄ２  軸孔
【図１】
0003102415.tif 000003
【図２】
0003102415.tif 000004
【図３】
0003102415.tif 000005
【図４】
0003102415.tif 000006
【図５】
0003102415.tif 000007
【図６】
0003102415.tif 000008
【図７】
0003102415.tif 000009
【図８】
0003102415.tif 000010